(57)【要約】【課題】  安価にて、端子ボルト回りでの電気接続端子の回動変位を防止し、端子ボルト同士の短絡を確実に防止することができる中継用端子板における端子ボルトの取付構造を提供する。【解決手段】  絶縁基板１１の内側で端子ボルト１２に螺合された第１ナット１４と、外側で端子ボルト１２に螺合された第２ナット１７とにより絶縁基板１１に端子ボルト１２を締付固定する。第３ナット１６と第１ナット１４とにより電気接続端子１５を挟持し、第４ナット１８と第２ナット１７とにより、外部リード線の接続端子を端子ボルト１２に接続可能とする。座金１３の裏面に突設した係合片２２を、ボルト取付孔１１ａから離れた係合孔１１ｂに係合させて、端子ボルト１２回りでの座金本体２０の回動を規制する。また、座金１３の表面に突設した一対の規制片２３ａ，２３ｂを第１ナット１４に係合させ、座金本体２０に対する第１ナット１４の回動を規制する。【選択図】      図１
2006196419.tif 000002
【特許請求の範囲】
【請求項１】
基板に設けられたボルト取付孔に端子ボルトを貫通させ、前記基板の内側において前記端子ボルトに螺合された第１ナットと、同基板の外側において同端子ボルトに螺合された第２ナットとによって同端子ボルトを同基板に締付固定し、前記第１ナットの外側において前記端子ボルトに螺合された第３ナットと同第１ナットとにより電気接続端子を挟持し、前記第２ナットの外側において前記端子ボルトに螺合された第４ナットと同第２ナットとにより、外部のリード線の接続端子を挟持可能とした変圧器、変流器又はリアクトルの中継用端子板における端子ボルトの取付構造であって、
前記基板と第１ナットとの間に座金を介在し、同座金における座金本体の前記基板側の裏面には、前記基板に対し前記ボルト取付孔から離れた位置に設けられた係合部に係合するとともに前記端子ボルトの回りでの座金本体の回動を規制する係合片を突設し、座金本体の表面側には、同表面側に当接された前記第１ナットに係合するとともに座金本体に対する同第１ナットの回動を規制する規制片を突設したことを特徴とする中継用端子板における端子ボルトの取付構造。
【請求項２】
前記規制片を、前記ナットを挟んで対向する一対としたことを特徴とする請求項１に記載の中継用端子板における端子ボルトの取付構造。
【請求項３】
前記係合片を、前記座金本体の外周縁に設けたことを特徴とする請求項１又は請求項２に記載の中継用端子板における端子ボルトの取付構造。
【請求項４】
前記座金本体を四角形とするとともに、前記係合片及び規制片を同座金本体の辺に設けたことを特徴とする請求項１〜請求項３のいずれか一項に記載の中継用端子板における端子ボルトの取付構造。
【請求項５】
請求項１〜請求項４のいずれか一項に記載の中継用端子板における端子ボルトの取付構造に用いられることを特徴とする座金。
【発明の詳細な説明】
【技術分野】
【０００１】
本発明は、例えば、変圧器、変流器又はリアクトルといった電気機器に設けられ、この電気機器の入力側及び出力側リード線と、外部のリード線とを接続するための中継用端子板における端子ボルトの取付構造、及び、それに用いられる座金に関するものである。
【背景技術】
【０００２】
従来、電気機器である変圧器、変流器及びリアクトルには、電気機器の入力側及び出力側リード線と、電気機器外部のリード線とを接続するための中継用端子板が設けられている。図９に示すように、この中継用端子板５０は、絶縁基板５１と、この絶縁基板５１に固定された複数の端子ボルト５２とを備えている。図１０に示すように、各端子ボルト５２は、絶縁基板５１に設けられたボルト取付孔５１ａに貫通されており、絶縁基板５１の表裏両側から端子ボルト５２に螺合された一対のナット５３，５４により絶縁基板５１に固定支持されている。この端子ボルト５２には、絶縁基板５１の内面側（電気機器の内部側、図１０における上面側）において、電気機器の入力側及び出力側リード線の接続端子５５が固定されている。また、端子ボルト５２には、絶縁基板５１の外面側（図１０における下面側）において、電気機器外部のリード線の接続端子５６を端子ボルト５２に接続するためのナット５７が螺合されている。接続端子５６は、ナット５７がナット５４側に締め付けられることにより、両ナット５４，５７間に挟持される。なお、各端子ボルト５２は、中継用端子板５０のスペースをより小さくするために、絶縁基板５１上においてできるだけ小さい間隔で配設されている。
【０００３】
ところで、両ナット５３，５４による端子ボルト５２の絶縁基板５１に対する固定力が弱いと、ナット５７が緩められるとき又は締め付けられるときに、絶縁基板５１に対して端子ボルト５２が回動し、端子ボルト１２回りに電気接続端子５５が回動変位することがある。そして、図９に二点鎖線で示すように、特定の端子ボルト５２に固定されている接続端子５５が、この接続端子５５の隣の端子ボルト５２に接触する。この結果、外部から電気機器に電気が供給されたときに、電気機器内で短絡が発生する虞がある。このため、従来、絶縁基板５１とナット５３との間には刃付き座金５８が介在され、この刃付き座金５８により絶縁基板５１に対する端子ボルト５２の回動が規制されている。
【発明の開示】
【発明が解決しようとする課題】
【０００４】
ところが、ナット５７を大きな力で締め付けたり、あるいは、大きな力で締め付けられているナット５７を緩めたりするときに、端子ボルト５２が刃付き座金５８とともに回動してしまうことがあった。これは、ナット５７から端子ボルト５２を介して刃付き座金５８に大きな回動力が加わり、刃付き座金５８が絶縁基板５１の表面を削りながら回ってしまうためである。また、絶縁基板５１の厚さは、経年変化によりその初期値から減少する。この結果、両ナット５３，５４による端子ボルト５２の固定力が減少し、端子ボルト５２が回りやすくなってしまうことがあった。従って、絶縁基板５１とナット５３との間に刃付き座金５８を設けていても、端子ボルト５２同士の短絡を確実に防止できない虞があった。
【０００５】
本発明は、このような従来の技術に存在する問題点に着目してなされたものである。その目的とするところは、安価にて、端子ボルト回りでの電気接続端子の回動変位を防止し、端子ボルト同士の短絡を確実に防止することができる中継用端子板における端子ボルトの取付構造を提供することにある。
【０００６】
また、上記中継用端子板における端子ボルトの取付構造に用いる座金を提供することにある。
【課題を解決するための手段】
【０００７】
上記の目的を達成するために、請求項１に記載の発明は、基板に設けられたボルト取付孔に端子ボルトを貫通させ、前記基板の内側において前記端子ボルトに螺合された第１ナットと、同基板の外側において同端子ボルトに螺合された第２ナットとによって同端子ボルトを同基板に締付固定し、前記第１ナットの外側において前記端子ボルトに螺合された第３ナットと同第１ナットとにより電気接続端子を挟持し、前記第２ナットの外側において前記端子ボルトに螺合された第４ナットと同第２ナットとにより、外部のリード線の接続端子を挟持可能とした変圧器、変流器又はリアクトルの中継用端子板における端子ボルトの取付構造であって、前記基板と第１ナットとの間に座金を介在し、同座金における座金本体の前記基板側の裏面には、前記基板に対し前記ボルト取付孔から離れた位置に設けられた係合部に係合するとともに前記端子ボルトの回りでの座金本体の回動を規制する係合片を突設し、座金本体の表面側には、同表面側に当接された前記第１ナットに係合するとともに座金本体に対する同第１ナットの回動を規制する規制片を突設したことを特徴とする。ここで、「端子ボルト」は、雄ねじ軸のみからなり、別部品の第３ナットが螺合されるものと、第３ナットに相当する六角頭、六角孔付き頭、四角頭又は丸頭を一体に有するものとを含む。
【０００８】
請求項２に記載の発明は、請求項１に記載の発明において、前記規制片を、前記ナットを挟んで対向する一対としたことを特徴とする。
請求項３に記載の発明は、請求項１又は請求項２に記載の発明において、前記係合片を、前記座金本体の外周縁に設けたことを特徴とする。
【０００９】
請求項４に記載の発明は、請求項１〜請求項３のいずれか一項に記載の発明において、前記座金本体を四角形とするとともに、前記係合片及び規制片を同座金本体の辺に設けたことを特徴とする。
【００１０】
請求項５に記載の発明は、請求項１〜請求項４のいずれか一項に記載の中継用端子板における端子ボルトの取付構造に用いられることを特徴とする。
【発明の効果】
【００１１】
請求項１〜請求項４に記載の発明によれば、次のような作用効果がある。端子ボルトに外部からリード線を接続するために第４ナットが締め付けられるとき、又は、端子ボルトからリード線を取り外すために第４ナットが緩められるときには、第１ナットを回そうとする力が端子ボルトを介して第１ナットに加わる。このとき、基板の係合部に係合する係合片により、端子ボルト回りに座金が回ることが規制される。また、第１ナットに係合する規制片により、座金に対する第１ナットの回動が規制される。一方、電気接続端子は、第１ナットと第３ナットとにより、端子ボルトに対して固定されている。このため、端子ボルト回りでの電気接続端子の回動変位が規制される。また、経年変化により基板の厚さが初期値から減少すると、第１ナット及び第２ナットが基板を締め付ける力が減少し、基板に対する端子ボルトの固定力が減少する。この場合においても、上記と同様に、端子ボルトを中心とする電気接続端子の回動変位が確実に防止される。従って、外部のリード線が取り付けられるとき、又は取り外されるときに端子ボルトを回そうとする外力が端子ボルトに加わっても、又は、経年変化によって基板に対する端子ボルトの固定力が減少しても、端子ボルト回りでの電気接続端子の初期位置からの変位を防止し、端子ボルト同士の短絡を確実に防止することができる。しかも、従来の端子ボルトの取付構造に比較して、新たに高価な部品を要せず、また、新たに複雑な加工を要しないので、安価に提供することができる。
【００１２】
請求項５に記載の発明によれば、請求項１〜請求項４に記載の中継用端子板における端子ボルトの取付構造に好適な座金を提供することができる。
【発明を実施するための最良の形態】
【００１３】
次に、本発明を具体化した一実施形態を図１〜図５に従って説明する。
図２に示すように、図示しない変圧器、変流器又はリアクトルに設けられた中継用端子板１０は、電気機器に固定される絶縁基板１１と、この絶縁基板１１に固定支持された複数（この実施形態では１０個）の端子ボルト１２とを備えている。
【００１４】
図４に示すように、絶縁基板１１には、各端子ボルト１２を固定支持するための複数のボルト取付孔１１ａが設けられるとともに、ボルト取付孔１１ａ毎にそのボルト取付孔１１ａから離れた係合孔（係合部）１１ｂが設けられている。
【００１５】
図３に示すように、各端子ボルト１２は、ボルト取付孔１１ａにそれぞれ貫通されている。端子ボルト１２には、絶縁基板１１において電気機器の内側に配置される内面（図１及び図３における上面）側において第１ナット１４が螺合されている。また、端子ボルト１２には、絶縁基板１１の外面（図１及び図３における下面）側において第２ナット１７が螺合されている。そして、端子ボルト１２は、第１ナット１４及び第２ナット１７により絶縁基板１１が挟持されることで絶縁基板１１に固定支持されている。絶縁基板１１と第１ナット１４との間には、後述する座金１３が介在されている。また、絶縁基板１１と第２ナット１７との間には、ワッシャ２４及びスプリングワッシャ２５が絶縁基板１１の側からこの順に介在されている。
【００１６】
端子ボルト１２における第１ナット１４の外側には、スプリングワッシャ２６、ワッシャ２７、電気接続端子１５及びワッシャ２８を介して第３ナット１６が螺合されている。そして、電気接続端子１５は、第３ナット１６が締め付けられることで第１ナット１４と第３ナット１６との間に一体的に挟持されている。各電気接続端子１５には、電気機器の図示しない入力側リード線又は出力側リード線が接続されている。
【００１７】
また、端子ボルト１２における第２ナット１７の外側には、一対のワッシャ２９，３０及びスプリングワッシャ３１を介して第４ナット１８が螺合されている。そして、両ワッシャ２９，３０間には、図示しない外部のリード線の接続端子３２が挟持されるようになっている。すなわち、外部のリード線は、端子ボルト１２を介して、電気機器内部の入力側リード線又は出力側リード線に接続される。
【００１８】
図５に示すように、前記座金１３は１枚の金属板部材からプレス加工により形成され、四角形の座金本体２０を有している。座金本体２０の中央部にはボルト挿通孔２１が形成されている。座金１３の裏面（図５における下面）側には、同裏面側に当接される絶縁基板１１の係合孔１１ｂに係合可能な係合片２２が突設されている。また、座金１３の表面（図５における上面）側には、同表面側に当接される第１ナット１４の周面に係合可能な規制片２３ａ，２３ｂが突設されている。係合片２２は、座金本体２０の１つの辺（外周縁）に設けられている。また、規制片２３ａ，２３ｂは、座金本体２０において対向する両辺にそれぞれ設けられ、第１ナット１４を挟んで対向する一対をなしている。
【００１９】
図１に示すように、座金１３は、係合片２２が突設された座金本体２０の裏面側を絶縁基板１１側とし、規制片２３ａ，２３ｂが突設された表面側を第１ナット１４側として絶縁基板１１と第１ナット１４との間に介在される。このとき、係合片２２は、絶縁基板１１の係合孔１１ｂに係合し、絶縁基板１１上で端子ボルト１２を中心として座金１３が回動することを規制するようになっている。また、規制片２３ａ，２３ｂは、第１ナット１４に係合し、座金本体２０に対する第１ナット１４の回動を規制するようになっている。
【００２０】
次に、前述した本実施形態の作用について説明する。
電気機器の設置時には、絶縁基板１１の外面側において、各端子ボルト１２に装着されている両ワッシャ２９，３０間に外部リード線の接続端子３２を装着し、第４ナット１８を締め付けて、第２ナット１７と第４ナット１８とで接続端子３２を挟持させる。すると、電気機器の入力側リード線及び出力側リード線に対し、各端子ボルト１２を介して外部のリード線がそれぞれ接続される。反対に、各端子ボルト１２において第４ナット１８を緩めると、第２ナット１７と第４ナット１８との間で接続端子３２が挟持されなくなり、端子ボルト１２から外部のリード線が取り外される。
【００２１】
第４ナット１８を締め付けるとき、又は緩めるときには、第４ナット１８と端子ボルト１２との間の摩擦により、端子ボルト１２を回そうとする力が第４ナット１８から端子ボルト１２に加わる。また、この力は、第４ナット１８から第２ナット１７及び第１ナット１４にも加わり、第２ナット１７及び第１ナット１４とともに端子ボルト１２を回そうとする。ここで、絶縁基板１１の係合孔１１ｂに係合する係合片２２により、端子ボルト１２回りでの座金１３の回動が規制される。また、第１ナット１４の周面に係合する規制片２３ａ，２３ｂにより、端子ボルト１２回りでの座金１３に対する第１ナット１４の回動が規制される。一方、電気接続端子１５は、第１ナット１４と第３ナット１６とにより、端子ボルト１２に対して固定されている。このため、端子ボルト１２回りでの電気接続端子１５の回動変位が規制される。従って、第４ナット１８が締め付けられるとき、又は緩められるときに、端子ボルト１２回りでの電気接続端子１５の回動変位を確実に防止し、電気接続端子１５による端子ボルト１２間の短絡を確実に防止することができる。
【００２２】
また、経年変化により絶縁基板１１の厚さが初期値から減少すると、第１ナット１４及び第２ナット１７が絶縁基板１１を締め付ける力が減少し、絶縁基板１１に対する端子ボルト１２の固定力が減少する。この場合においても、上記と同様に、電気接続端子１５の変位を確実に防止することができる。
【００２３】
さらに、この実施形態の端子ボルト１２の取付構造は、従来の取付構造で用いられる刃付き座金に代えて簡単な構成の座金１３を用い、また、絶縁基板１１に係合孔１１ｂを追加加工するだけであるので、従来と同様に安価に提供することができる。
【００２４】
なお、前記実施形態は、次のように変更して実施してもよい。
・  図６（ａ）に示すように、一対の規制片２３ａ，２３ｂを、座金本体２０の対向する両辺全体に渡って設けた構成としてもよい。
【００２５】
・  図６（ｂ）に示すように、係合片２２を、絶縁基板１１の係合孔１１ｂを貫通する長さとし、絶縁基板１１の外面から突出した係合片２２の先端を、二点鎖線で示すように折り曲げることができるようにする。この場合には、中継用端子板１０の組立時に、予め、絶縁基板１１に座金１３を組み付けておくことができる。
【００２６】
また、二点鎖線で示すように、座金本体２０を八角形としてもよい。また、図示はしないが、座金本体２０を円形、楕円形、五角形、六角形等の形状としてもよい。
・  図７（ａ）に示すように、１つの規制片４０を、座金本体２０の一辺に設けた構成としてもよい。また、一対の係合片４１ａ，４１ｂを、座金本体２０の対向する両辺に設けた構成としてもよい。この場合、１つのボルト取付孔１１ａに２つの係合孔１１ｂを隣接させる。
【００２７】
・  図７（ｂ）に示すように、係合片２２を、ボルト挿通孔２１の内周縁に設けた構成としてもよい。この場合、ボルト取付孔１１ａに係合孔１１ｂを合体させる。
・  図８に示すように、端子ボルト１２として六角ボルトを用い、第４ナット１８を用いない構成としてもよい。また、端子ボルト１２として、六角孔付き、四角又は丸頭ボルトを用いてもよい。
【００２８】
・  係合孔１１ｂに代えて、絶縁基板１１を貫通しない係合凹部を設けた構成としてもよい。
・  係合部としては、本取付構造を安価に提供するために、加工が容易な丸孔形状の係合孔１１ｂを基本とするが、丸孔形状に限らず、その他例えば、楕円形、四角形、三角形等の孔であってもよい。
【図面の簡単な説明】
【００２９】
【図１】一実施形態の電気接続端子を示す分解斜視図。
【図２】中継用端子板を示す平面図。
【図３】電気接続端子を示す側面図。
【図４】絶縁基板を示す平面図。
【図５】座金を示す斜視図。
【図６】（ａ），（ｂ）は共に他の実施形態の座金を示す斜視図。
【図７】（ａ），（ｂ）は共に他の実施形態の座金を示す斜視図。
【図８】他の実施形態の電気接続端子を示す側面図。
【図９】従来の中継用端子板を示す平面図。
【図１０】電気接続端子を示す側面図。
【符号の説明】
【００３０】
１０…中継用端子板、１１…絶縁基板、１１ａ…ボルト取付孔、１１ｂ…係合部としての係合孔、１２…端子ボルト、１３…座金、１４…第１ナット、１５…電気接続端子、１６…第３ナット、１７…第２ナット、１８…第４ナット、２０…座金本体、２２…係合片、２３ａ，２３ｂ…規制片、３２…接続端子、４０…規制片、４１ａ，４１ｂ…係合片。
【図１】
2006196419.tif 000003
【図２】
2006196419.tif 000004
【図３】
2006196419.tif 000005
【図４】
2006196419.tif 000006
【図５】
2006196419.tif 000007
【図６】
2006196419.tif 000008
【図７】
2006196419.tif 000009
【図８】
2006196419.tif 000010
【図９】
2006196419.tif 000011
【図１０】
2006196419.tif 000012